(57)【要約】【課題】手袋包装体を横向きに配置した場合にも、手袋を適切に取り出せるようにする。【解決手段】手袋包装体１は、直方体状に形成された包装箱１１に複数の手袋５が積層状態で収容されている。包装箱１１は、取出口形成部１６を有する長方形状の取出面１０を備えている。取出口形成部１６は、取出面１０における中心位置よりも一方の短辺３１側に配置されており、取出口は、取出面１０における一方の長辺の端部３３側から他方の長辺３４の中央側へ向かって斜め方向に延びる開口縁を有している。そして、包装箱１１を横向きに配置した状態で、取出面１０の開口縁よりも中央側部分が包装箱１１内の手袋５を支持可能な支持部４０となっている。【選択図】図２
2018002280.tif 000002
【特許請求の範囲】
【請求項１】
直方体状に形成された包装箱に複数の手袋が積層状態で収容された手袋包装体であって、
上記包装箱は、上記手袋の取出口が形成される取出口形成部を有する長方形状の取出面を備え、
上記取出口形成部は、上記取出面における中心位置よりも一方の短辺側に配置されており、
上記取出口は、上記取出面における一方の長辺の端部側から他方の長辺の中央側へ向かって斜め方向に延びる開口縁を有し、
側方から上記手袋を取り出すように上記包装箱を横向きに配置した状態で、上記取出面の上記開口縁よりも中央側部分が上記包装箱内の手袋を支持可能な支持部となっている、手袋包装体。
【請求項２】
請求項１に記載の手袋包装体において、
複数の上記手袋は、該手袋の手首が上記取出面における上記一方の短辺側に配置され、且つ該手袋の指先が上記取出面における他方の短辺側に配置されるように、向きを揃えて上記包装箱に収容されている、手袋包装体。
【請求項３】
請求項１又は２に記載の手袋包装体において、
上記取出口形成部は、取り外し可能な部分として、互いに縁部を一部共通するように配置された第１の部分及び第２の部分を有し、上記第１の部分を取り外すことにより比較的小さい取出口が形成されると共に、上記第１の部分に加えて上記第２の部分を取り外すことにより比較的大きい取出口が形成されるように構成され、
上記第１の部分は、上記取出面における上記一方の長辺の端部側に配置される一方、上記第２の部分は、上記取出面における上記他方の長辺の中央側に配置されている、手袋包装体。
【請求項４】
請求項１乃至３の何れか１つに記載の手袋包装体において、
上記取出口は、上記取出面における一方の長辺の端部側から、他方の長辺の中央側へ向かって斜め方向に延びる長孔状に形成されている、手袋包装体。
【発明の詳細な説明】
【技術分野】
【０００１】
本発明は、手袋包装体に関する。
【背景技術】
【０００２】
従来より、薄手のゴムやプラスティックフィルムからなる手袋が、複数枚重ねられた状態で包装箱に収容された手袋包装体が知られている。例えば、特許文献１の手袋包装体は、上下方向に積み重ねられた手袋が包装箱に収容されている。そして、包装箱の上面中央部に長孔形状の取出口が形成されている。手袋を包装箱から取り出す場合、最も上側に重ねられている手袋を、１枚ずつ取出口から上方へ引っ張り出す。
【０００３】
また、特許文献２にも、包装箱の上面中央部に取出口が形成された手袋包装体が開示されている。特許文献２の包装箱には、取り外し可能な部分として、第１の部分及び第２の部分が縁部を一部共通するように配置形成されている。そして、第１の部分のみを取り外すことで比較的小さい取出口が形成されると共に、さらに第２の部分を取り外すことで比較的大きい取出口が形成されるようになっている。
【０００４】
１枚の手袋を取り出す際に、包装箱内の他の手袋は、包装箱における取出口の周囲部分によって押さえられる。そのとき、取出口が小さいほど、包装箱内の他の手袋をしっかりと押さえることができる。したがって、使用当初は、第１の部分のみを取り外して比較的小さい取出口を形成することにより、手袋を適切に取り出すことができる。
【０００５】
一方、包装箱内に残っている手袋が少なくなったとき、手袋は、包装箱の底に溜まって取出口から離れることとなる。しかし、取出口が小さければ、手袋を取り出す際に、手を取出口から包装箱の内部へ入れにくくなってしまう。そこで、第２の部分を取り外して取出口を大きくすることよって、手を包装箱内に入れやすくし、手袋を容易に取り出せるようにすることができる。
【０００６】
ここで、手袋包装体は、例えば作業台等にそのまま置くと設置スペースが必要になるので、作業スペースが狭くなってしまう等の問題がある。そこで、室内の壁等にラックを設置し、そのラックに手袋包装体を横向きにした状態で固定支持させることが知られている。手袋包装体を横向きにして取出口が収容箱の側面に配置されるようにすると、包装箱内には手袋が横方向に積層されることになり、取出口から横方向に手袋が引っ張り出されることとなる。
【先行技術文献】
【特許文献】
【０００７】
【特許文献１】特開２０１１−１６２２５７号公報
【特許文献２】特表２０１５−５０４８２６号公報
【発明の概要】
【発明が解決しようとする課題】
【０００８】
しかし、上記特許文献１及び２の手袋包装体では、横向きに設置して手袋を側方から取り出すようにすると、包装箱内の手袋が少なくなった場合、その手袋の束は自重によって包装箱内の下部にずれて偏ってしまう。そして、包装箱の側面における中央部分に取出口が形成されているので、下方に偏った手袋を取出口の周囲部分により確実に支持することができない。そのため、残り少なくなった手袋を１枚ずつ取り出すことが難しくなり、場合によっては複数枚の手袋がまとまって取出口から出てしまう問題もある。
【０００９】
本発明は、かかる点に鑑みてなされたものであり、その目的とするところは、手袋包装体について、側方から手袋を取り出すように横向きに配置した場合にも、手袋を適切に取り出すことができるようにすることにある。
【課題を解決するための手段】
【００１０】
第１の発明に係る手袋包装体は、直方体状に形成された包装箱に複数の手袋が積層状態で収容された手袋包装体であって、上記包装箱は、上記手袋の取出口が形成される取出口形成部を有する長方形状の取出面を備え、上記取出口形成部は、上記取出面における中心位置よりも一方の短辺側に配置されており、上記取出口は、上記取出面における一方の長辺の端部側から他方の長辺の中央側へ向かって斜め方向に延びる開口縁を有し、側方から上記手袋を取り出すように上記包装箱を横向きに配置した状態で、上記取出面の上記開口縁よりも中央側部分が上記包装箱内の手袋を支持可能な支持部となっている。
【００１１】
第２の発明において、複数の上記手袋は、該手袋の手首が上記取出面における上記一方の短辺側に配置され、且つ該手袋の指先が上記取出面における他方の短辺側に配置されるように、向きを揃えて上記包装箱に収容されていることが好ましい。
【００１２】
第３の発明において、上記取出口形成部は、取り外し可能な部分として、互いに縁部を一部共通するように配置された第１の部分及び第２の部分を有し、上記第１の部分を取り外すことにより比較的小さい取出口が形成されると共に、上記第１の部分に加えて上記第２の部分を取り外すことにより比較的大きい取出口が形成されるように構成され、上記第１の部分は、上記取出面における上記一方の長辺の端部側に配置される一方、上記第２の部分は、上記取出面における上記他方の長辺の中央側に配置されていることが好ましい。
【００１３】
第４の発明において、上記取出口は、上記取出面における一方の長辺の端部側から、他方の長辺の中央側へ向かって斜め方向に延びる長孔状に形成されていることが望ましい。
【発明の効果】
【００１４】
第１の発明によれば、包装箱の取出面における一方の長辺が下側となるように包装箱を横向きに配置し、取出口形成部に形成した取出口から側方へ手袋を取り出して使用する場合、包装箱内の手袋が少なくなると、その複数の手袋は自重によって包装箱内の下部にずれて偏ることとなる。包装箱の下部に偏った複数の手袋の重心位置は、側方から見て取出面における下部中央位置となる。
【００１５】
これに対し、本発明では、取出口が、取出面における中心位置よりも一方の短辺側に配置され、且つ、取出面における一方の長辺の端部側から他方の長辺の中央側へ向かって斜め方向に延びる開口縁を有しており、その取出面の開口縁よりも中央側部分が包装箱内の手袋を支持可能な支持部となっている。
【００１６】
したがって、支持部は、上記手袋の重心位置と同じ取出面の下部中央位置を含む領域に設けられることとなるので、複数の手袋をその重心位置で好適に支持することができる。その結果、包装箱内で複数の手袋が下部に偏っていても、手袋を１枚ずつ適切に取り出すことができる。
【００１７】
ここで、包装箱内の複数の手袋は、その数が少なくなるにつれて、包装箱の下方へ徐々に偏っていくと共に包装箱内で移動しやすく不安定になる。これに対し、本発明では、取出口の開口縁が、取出面における一方の長辺の端部側から他方の長辺の中央側へ向かって斜め方向に延びているので、その開口縁の側方の支持部は、その幅（取出面の長辺方向の幅）が、下方へ向かって徐々に広くなる。すなわち、複数の手袋が包装箱の下方へ偏っていくにつれて支持部の幅も広くなるので、包装箱の下方へ偏っていく複数の手袋を適切に支持することができる。そのため、複数枚の手袋がまとまって取出口から出てしまわないようにして、より適切に手袋を１枚ずつ取り出すことができる。
【００１８】
第２の発明によれば、手袋の手首が取出面における一方の短辺側に配置され、且つ手袋の指先が取出面における他方の短辺側に配置されるように、複数の手袋が向きを揃えて包装箱に収容されているので、手袋の手首側が取出口に臨む配置となる。したがって、使用者が手袋を取り出す際に、常に手袋の手首側を摘まんで引き出すことになるので、手袋の指先部分を衛生的に保つことができる。
【００１９】
第３の発明によれば、取出口形成部が取り外し可能な第１の部分及び第２の部分を有する構成としたので、複数の手袋が包装箱内で詰まって移動しにくい使用当初には、第１の部分のみを取り外して比較的小さい取出口を形成することにより、適切に手袋を１枚ずつ取り出すことができる。一方、手袋の数が減って包装箱内で移動し易くなったときは、第１の部分に加えて第２の部分を取り外して比較的大きな取出口を形成することにより、手を包装箱内に入れやすくし、包装箱の内部から手袋を容易に取り出すことができる。
【００２０】
特に、本発明では、第１の部分を取出面における一方の長辺の端部側に配置する一方、第２の部分を取出面における他方の長辺の中央側に配置した。すなわち、取出面における上記一方の長辺が下側となるように包装箱を横向きに配置した場合において、手袋の数が減った状態では、複数の手袋が包装箱の下部に偏ることで包装箱の上部に空間が生じている。よって、手袋の数が減った状態で第２の部分を取り外すことにより、包装箱の上部の空間が一部開放されるので、その空間に手を差し入れて包装箱内の手袋を容易に摘まみ出すことができる。
【００２１】
第４の発明によれば、取出口を、取出面における一方の長辺の端部側から、他方の長辺の中央側へ向かって斜め方向に延びる長孔状に形成することにより、手袋が長孔状の取出口を通りやすくなるので、取出面に支持部を設けながらも手袋をスムーズに取り出すことができる。
【図面の簡単な説明】
【００２２】
【図１】図１は、本実施形態における手袋包装体の外観を示す斜視図である。
【図２】図２は、手袋包装体の取出面を示す正面図である。
【図３】図３は、包装箱の内部に収容された複数の手袋を示す断面図である。
【図４】図４は、第１の部分が取り外された取出面を示す正面図である。
【図５】図５は、第１の部分及び第２の部分が取り外された取出面を示す正面図である。
【図６】図６は、取出口形成部を拡大して示す正面図である。
【図７】図７は、その他の実施形態における手袋包装体の取出面を示す正面図である。
【発明を実施するための形態】
【００２３】
以下、本発明の実施形態を図面に基づいて詳細に説明する。尚、本発明は、以下の実施形態に限定されるものではない。
【００２４】
図１〜図６は、本実施形態における手袋包装体１を示している。図１は、手袋包装体１の斜視図であり、図２、図４及び図５は、手袋包装体１の取出面１０を示す正面図である。また、図３は、手袋包装体１の内部に収容された手袋５を示している。図６は、取出口形成部１６を拡大して示している。
【００２５】
手袋包装体１は、図１及び図３に示すように、直方体状に形成された包装箱１１と、包装箱１１に積層状態で収容された複数の手袋５とを備えている。包装箱１１は、紙製の箱であって、長方形の取出面１０と、取出面１０の周囲四辺に配置された４つの側面１３と、取出面１０の裏側に配置された背面１４とを有している。取出面１０は、手袋５の取出口１５が形成される取出口形成部１６を有している。
【００２６】
手袋包装体１は、図１に示すように、取出面１０が側方を向くように横向きに配置された状態で、壁に設置されたラック（図示省略）に装着される。このように壁に手袋包装体１を設置することにより、作業台等に手袋包装体１の設置スペースを不要にすることができる。尚、手袋包装体１は、取出面１０が上方を向くように平置きとして、手袋５を上側に引き出すような使用態様としてもよい。
【００２７】
図２に示すように、取出口形成部１６は、取出面１０における中心位置よりも一方の短辺３１側（図２で右側の短辺）に配置されている。取出口形成部１６は、図２に示すように、取り外し可能な部分として、互いに縁部１８を一部共通するように配置された第１の部分２１及び第２の部分２２を有している。
【００２８】
取出口形成部１６は、図６に拡大して示すように、略六角形状になっており、その六つの角部分はアール形状となっている。第１の部分２１は、図１において取出口形成部１６の右下部分に配置されており、略六角形状に形成されている。この第１の部分２１の六つの角部分もアール形状となっている。
【００２９】
第１の部分２１は、取出面１０における一方の長辺３３（図２で下側の長辺）の端部側（図２で右側）に配置される一方、第２の部分２２は、取出面１０における他方の長辺３４（図２で上側の長辺）の中央側に配置されている。つまり、第２の部分２２は、第１の部分２１に隣接しており、図１において取出口形成部１６の左上部分に配置されている。そして、第２の部分２２は、第１の部分２１における左上側の２つの辺を共通の縁部１８としている。
【００３０】
第１の部分２１及び第２の部分２２の縁部１８，１９は、ミシン目によって形成されている。上記共通の縁部１８以外の縁部１９は、その一部が二重のミシン目になっている。そのことにより、手袋５を取り出す際に、手袋５が取出口１５の縁で傷付きにくくなる。
【００３１】
また、第１の部分２１及び第２の部分２２の各左上部分には、これらを取り外す際に用いる摘まみ孔が形成される摘まみ部２４が設けられている。摘まみ部２４の縁もミシン目によって形成されている。
【００３２】
そして、図４に示すように、包装箱１１の取出面１０から第１の部分２１を取り外すことにより比較的小さい取出口１５が形成される。さらに、図５に示すように、第１の部分２１に加えて第２の部分２２を取り外すことにより比較的大きい取出口１５が形成される。すなわち、第２の部分２２を取り外すことによって、この第２の部分２２の面積だけ取出口１５が大きくなる。
【００３３】
ここで、複数の手袋５は、図２及び図３に示すように、手袋５の手首５ａが取出面１０における一方の短辺３１側に配置され、且つ手袋５の指先５ｂが取出面１０における他方の短辺３２（図２で左側の短辺）側に配置されるように、向きを揃えて包装箱１１に収容されている。そして、複数の手袋５は、取出口１５から取り出される方向である横方向に積層されている。また、手袋５は薄手のものであって、例えばポリエチレンシート等からなるプラスチック製のものやニトリルゴム等のゴム製のものである。
【００３４】
図４及び図５に示すように、取出口１５は、取出面１０における一方の長辺３３の端部側（図４及び図５で右側）から、他方の長辺３４の中央側へ向かって斜め方向に延びる長孔状に形成されている。
【００３５】
また、取出口１５は、取出面１０における一方の長辺３３の端部側（図４及び図５で右側）から他方の長辺３４の中央側へ向かって斜め方向（図４及び図５で斜め左方向）に延びる開口縁１５ａを有している。ここでいう開口縁１５ａは、取出口１５における図４及び図５で左側（つまり、取出面１０の中央側）の開口縁である。
【００３６】
そして、図１に示すように側方から手袋５を取り出すように包装箱１１を横向きに配置した状態で、図４及び図５に示すように取出面１０の開口縁１５ａよりも中央側部分が包装箱１１内の手袋５を支持可能な支持部４０となっている。つまり、支持部４０は、取出口１５よりも取出面１０の中央側に配置されている。
【００３７】
したがって、本実施形態によると、包装箱１１の取出面１０における一方の長辺３３が下側となるように包装箱１１を横向きに配置し、取出口形成部１６に形成した取出口１５から側方へ手袋５を取り出して使用する場合、包装箱１１内の手袋５が少なくなると、その複数の手袋５は、図５に示すように自重によって包装箱１１内の下部にずれて偏ることとなる。包装箱１１の下部に偏った複数の手袋５の重心位置Ｇは、側方から見て取出面１０における下部中央位置となる。
【００３８】
これに対し、本実施形態では、取出口１５が、取出面１０における中心位置よりも一方の短辺３１側に配置され、且つ、取出面１０における一方の長辺３３の端部側（図２で右側）から他方の長辺３４の中央側へ向かって斜め方向に延びる開口縁１５ａを有しており、その取出面１０の開口縁１５ａよりも中央側部分が包装箱１１内の手袋５を支持可能な支持部４０となっている。
【００３９】
したがって、支持部４０は、手袋５の重心位置Ｇと同じ取出面１０の下部中央位置を含む領域に設けられることとなるので、複数の手袋５をその重心位置Ｇで好適に支持することができる。その結果、包装箱１１内で複数の手袋５が下部に偏っていても、手袋５を１枚ずつ適切に取り出すことができる。
【００４０】
ここで、包装箱１１内の複数の手袋５は、その数が少なくなるにつれて、包装箱１１の下方へ徐々に偏っていくと共に包装箱１１内で移動しやすく不安定になる。これに対し、本実施形態では、取出口１５の開口縁１５ａが、取出面１０における一方の長辺３３の端部側（図２で右側）から他方の長辺３４の中央側へ向かって斜め方向に延びているので、その開口縁１５ａの側方の支持部４０は、その幅（取出面１０の長辺３３，３４方向の幅）が、下方へ向かって徐々に広くなる。すなわち、複数の手袋５が包装箱１１の下方へ偏っていくにつれて支持部４０の幅も広くなるので、包装箱１１の下方へ偏っていく複数の手袋５を適切に支持することができる。そのため、複数枚の手袋５がまとまって取出口１５から出てしまわないようにして、より適切に手袋５を１枚ずつ取り出すことができる。
【００４１】
さらに、手袋５の手首５ａが取出面１０における一方の短辺３１側に配置され、且つ手袋５の指先５ｂが取出面１０における他方の短辺３２側に配置されるように、複数の手袋５が向きを揃えて包装箱１１に収容されているので、手袋５の手首５ａ側が取出口１５に臨む配置となる。したがって、使用者が手袋５を取り出す際に、常に手袋５の手首５ａ側を摘まんで引き出すことになるので、手袋５の指先５ｂを衛生的に保つことができる。
【００４２】
さらにまた、取出口形成部１６が取り外し可能な第１の部分２１及び第２の部分２２を有する構成としたので、複数の手袋５が包装箱１１内で詰まって移動しにくい使用当初には、第１の部分２１のみを取り外して比較的小さい取出口１５を形成することにより、適切に手袋５を１枚ずつ取り出すことができる。一方、手袋５の数が減って包装箱１１内で移動し易くなったときは、第１の部分２１に加えて第２の部分２２を取り外して比較的大きな取出口１５を形成することにより、手を包装箱１１内に入れやすくし、包装箱１１の内部から手袋５を容易に取り出すことができる。
【００４３】
特に、本実施形態では、第１の部分２１を取出面１０における一方の長辺３３の端部側（図２で右側）に配置する一方、第２の部分２２を取出面１０における他方の長辺３４の中央側に配置した。すなわち、取出面１０における上記一方の長辺３３が下側となるように包装箱１１を横向きに配置した場合において、手袋５の数が減った状態では、複数の手袋５が包装箱１１の下部に偏ることで包装箱１１の上部に空間４２が生じている（図５を参照）。よって、手袋５の数が減った状態で第２の部分２２を取り外すことにより、包装箱１１の上部の空間４２が一部開放されるので、その空間４２に手を差し入れて包装箱１１内の手袋５を容易に摘まみ出すことができる。
【００４４】
さらに、取出口１５を、取出面１０における一方の長辺３３の端部側（図２で右側）から、他方の長辺３４の中央側へ向かって斜め方向に延びる長孔状に形成することにより、手袋５が長孔状の取出口１５を通りやすくなるので、取出面１０に支持部４０を設けながらも手袋５をスムーズに取り出すことができる。
《その他の実施形態》
【００４５】
図７は、その他の実施形態における手袋包装体１の取出面１０を示す正面図である。上述の実施形態では、図２に示すように右側である一方の短辺３１側に、取出口形成部１６を配置形成した例について説明したが、本発明はこれに限らず、図６に示すように左側である一方の短辺３１側に、取出口形成部１６を配置形成してもよい。
【００４６】
すなわち、図６の手袋包装体１は、図２の手袋包装体１を左右反転した構成を有しており、図６の取出面１０では、左側の短辺３１が一方の短辺３１となり、右側の短辺３２が他方の短辺３２となっている。このような構成としても、図２の手袋包装体１と同じ効果を得ることができる。
【産業上の利用可能性】
【００４７】
以上説明したように、本発明は、複数の手袋が積層状態で収容された手袋包装体について有用である。
【符号の説明】
【００４８】
１    手袋包装体
５    手袋
５ａ    手首
５ｂ    指先
１０    取出面
１１    包装箱
１３    側面
１５    取出口
１５ａ    開口縁
１６    取出口形成部
１８    縁部
２１    第１の部分
２２    第２の部分
３１    一方の短辺
３２    他方の短辺
３３    一方の長辺
３４    他方の長辺
４０    支持部
【図１】
2018002280.tif 000003
【図２】
2018002280.tif 000004
【図３】
2018002280.tif 000005
【図４】
2018002280.tif 000006
【図５】
2018002280.tif 000007
【図６】
2018002280.tif 000008
【図７】
2018002280.tif 000009
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
直方体状に形成された包装箱に複数の手袋が積層状態で収容された手袋包装体であって、
上記包装箱は、上記手袋の取出口が形成される取出口形成部を有する長方形状の取出面を備え、
上記複数の手袋は、上記取出口から取り出される方向に積層されており、
上記取出口形成部は、上記取出面における中心位置に配置されておらず、且つ上記取出面における中心位置よりも一方の短辺側に偏って配置されており、
上記取出口は、上記取出面における一方の長辺の端部側から他方の長辺の中央側へ向かって斜め方向に延びる開口縁を有し、
側方から上記手袋を取り出すように、上記取出面における一方の長辺が下側となるようにして上記包装箱を横向きに配置した状態で、上記取出面の上記開口縁よりも中央側部分が上記包装箱内の手袋を支持可能な支持部となっている、手袋包装体。
【請求項２】
請求項１に記載の手袋包装体において、
複数の上記手袋は、該手袋の手首が上記取出面における上記一方の短辺側に配置され、且つ該手袋の指先が上記取出面における他方の短辺側に配置されるように、向きを揃えて上記包装箱に収容されている、手袋包装体。
【請求項３】
請求項１又は２に記載の手袋包装体において、
上記取出口形成部は、取り外し可能な部分として、互いに縁部を一部共通するように配置された第１の部分及び第２の部分を有し、上記第１の部分を取り外すことにより比較的小さい取出口が形成されると共に、上記第１の部分に加えて上記第２の部分を取り外すことにより比較的大きい取出口が形成されるように構成され、
上記第１の部分は、上記取出面における上記一方の長辺の端部側に配置される一方、上記第２の部分は、上記取出面における上記他方の長辺の中央側に配置されている、手袋包装体。
【請求項４】
請求項１乃至３の何れか１つに記載の手袋包装体において、
上記取出口は、上記取出面における一方の長辺の端部側から、他方の長辺の中央側へ向かって斜め方向に延びる長孔状に形成されている、手袋包装体。
【手続補正２】
【補正対象書類名】明細書
【補正対象項目名】全文
【補正方法】変更
【補正の内容】
【発明の詳細な説明】
【技術分野】
【０００１】
本発明は、手袋包装体に関する。
【背景技術】
【０００２】
従来より、薄手のゴムやプラスティックフィルムからなる手袋が、複数枚重ねられた状態で包装箱に収容された手袋包装体が知られている。例えば、特許文献１の手袋包装体は、上下方向に積み重ねられた手袋が包装箱に収容されている。そして、包装箱の上面中央部に長孔形状の取出口が形成されている。手袋を包装箱から取り出す場合、最も上側に重ねられている手袋を、１枚ずつ取出口から上方へ引っ張り出す。
【０００３】
また、特許文献２にも、包装箱の上面中央部に取出口が形成された手袋包装体が開示されている。特許文献２の包装箱には、取り外し可能な部分として、第１の部分及び第２の部分が縁部を一部共通するように配置形成されている。そして、第１の部分のみを取り外すことで比較的小さい取出口が形成されると共に、さらに第２の部分を取り外すことで比較的大きい取出口が形成されるようになっている。
【０００４】
１枚の手袋を取り出す際に、包装箱内の他の手袋は、包装箱における取出口の周囲部分によって押さえられる。そのとき、取出口が小さいほど、包装箱内の他の手袋をしっかりと押さえることができる。したがって、使用当初は、第１の部分のみを取り外して比較的小さい取出口を形成することにより、手袋を適切に取り出すことができる。
【０００５】
一方、包装箱内に残っている手袋が少なくなったとき、手袋は、包装箱の底に溜まって取出口から離れることとなる。しかし、取出口が小さければ、手袋を取り出す際に、手を取出口から包装箱の内部へ入れにくくなってしまう。そこで、第２の部分を取り外して取出口を大きくすることよって、手を包装箱内に入れやすくし、手袋を容易に取り出せるようにすることができる。
【０００６】
ここで、手袋包装体は、例えば作業台等にそのまま置くと設置スペースが必要になるので、作業スペースが狭くなってしまう等の問題がある。そこで、室内の壁等にラックを設置し、そのラックに手袋包装体を横向きにした状態で固定支持させることが知られている。手袋包装体を横向きにして取出口が収容箱の側面に配置されるようにすると、包装箱内には手袋が横方向に積層されることになり、取出口から横方向に手袋が引っ張り出されることとなる。
【先行技術文献】
【特許文献】
【０００７】
【特許文献１】特開２０１１−１６２２５７号公報
【特許文献２】特表２０１５−５０４８２６号公報
【発明の概要】
【発明が解決しようとする課題】
【０００８】
しかし、上記特許文献１及び２の手袋包装体では、横向きに設置して手袋を側方から取り出すようにすると、包装箱内の手袋が少なくなった場合、その手袋の束は自重によって包装箱内の下部にずれて偏ってしまう。そして、包装箱の側面における中央部分に取出口が形成されているので、下方に偏った手袋を取出口の周囲部分により確実に支持することができない。そのため、残り少なくなった手袋を１枚ずつ取り出すことが難しくなり、場合によっては複数枚の手袋がまとまって取出口から出てしまう問題もある。
【０００９】
本発明は、かかる点に鑑みてなされたものであり、その目的とするところは、手袋包装体について、側方から手袋を取り出すように横向きに配置した場合にも、手袋を適切に取り出すことができるようにすることにある。
【課題を解決するための手段】
【００１０】
第１の発明に係る手袋包装体は、直方体状に形成された包装箱に複数の手袋が積層状態で収容された手袋包装体であって、上記包装箱は、上記手袋の取出口が形成される取出口形成部を有する長方形状の取出面を備え、上記複数の手袋は、上記取出口から取り出される方向に積層されており、上記取出口形成部は、上記取出面における中心位置に配置されておらず、且つ上記取出面における中心位置よりも一方の短辺側に偏って配置されており、上記取出口は、上記取出面における一方の長辺の端部側から他方の長辺の中央側へ向かって斜め方向に延びる開口縁を有し、側方から上記手袋を取り出すように、上記取出面における一方の長辺が下側となるようにして上記包装箱を横向きに配置した状態で、上記取出面の上記開口縁よりも中央側部分が上記包装箱内の手袋を支持可能な支持部となっている。
【００１１】
第２の発明において、複数の上記手袋は、該手袋の手首が上記取出面における上記一方の短辺側に配置され、且つ該手袋の指先が上記取出面における他方の短辺側に配置されるように、向きを揃えて上記包装箱に収容されていることが好ましい。
【００１２】
第３の発明において、上記取出口形成部は、取り外し可能な部分として、互いに縁部を一部共通するように配置された第１の部分及び第２の部分を有し、上記第１の部分を取り外すことにより比較的小さい取出口が形成されると共に、上記第１の部分に加えて上記第２の部分を取り外すことにより比較的大きい取出口が形成されるように構成され、上記第１の部分は、上記取出面における上記一方の長辺の端部側に配置される一方、上記第２の部分は、上記取出面における上記他方の長辺の中央側に配置されていることが好ましい。
【００１３】
第４の発明において、上記取出口は、上記取出面における一方の長辺の端部側から、他方の長辺の中央側へ向かって斜め方向に延びる長孔状に形成されていることが望ましい。
【発明の効果】
【００１４】
第１の発明によれば、包装箱の取出面における一方の長辺が下側となるように包装箱を横向きに配置し、取出口形成部に形成した取出口から側方へ手袋を取り出して使用する場合、包装箱内の手袋が少なくなると、その複数の手袋は自重によって包装箱内の下部にずれて偏ることとなる。包装箱の下部に偏った複数の手袋の重心位置は、側方から見て取出面における下部中央位置となる。
【００１５】
これに対し、本発明では、取出口が、取出面における中心位置に配置されておらず、且つ取出面における中心位置よりも一方の短辺側に偏って配置され、且つ、取出面における一方の長辺の端部側から他方の長辺の中央側へ向かって斜め方向に延びる開口縁を有しており、その取出面の開口縁よりも中央側部分が包装箱内の手袋を支持可能な支持部となっている。
【００１６】
したがって、支持部は、上記手袋の重心位置と同じ取出面の下部中央位置を含む領域に設けられることとなるので、複数の手袋をその重心位置で好適に支持することができる。その結果、包装箱内で複数の手袋が下部に偏っていても、手袋を１枚ずつ適切に取り出すことができる。
【００１７】
ここで、包装箱内の複数の手袋は、その数が少なくなるにつれて、包装箱の下方へ徐々に偏っていくと共に包装箱内で移動しやすく不安定になる。これに対し、本発明では、取出口の開口縁が、取出面における一方の長辺の端部側から他方の長辺の中央側へ向かって斜め方向に延びているので、その開口縁の側方の支持部は、その幅（取出面の長辺方向の幅）が、下方へ向かって徐々に広くなる。すなわち、複数の手袋が包装箱の下方へ偏っていくにつれて支持部の幅も広くなるので、包装箱の下方へ偏っていく複数の手袋を適切に支持することができる。そのため、複数枚の手袋がまとまって取出口から出てしまわないようにして、より適切に手袋を１枚ずつ取り出すことができる。
【００１８】
第２の発明によれば、手袋の手首が取出面における一方の短辺側に配置され、且つ手袋の指先が取出面における他方の短辺側に配置されるように、複数の手袋が向きを揃えて包装箱に収容されているので、手袋の手首側が取出口に臨む配置となる。したがって、使用者が手袋を取り出す際に、常に手袋の手首側を摘まんで引き出すことになるので、手袋の指先部分を衛生的に保つことができる。
【００１９】
第３の発明によれば、取出口形成部が取り外し可能な第１の部分及び第２の部分を有する構成としたので、複数の手袋が包装箱内で詰まって移動しにくい使用当初には、第１の部分のみを取り外して比較的小さい取出口を形成することにより、適切に手袋を１枚ずつ取り出すことができる。一方、手袋の数が減って包装箱内で移動し易くなったときは、第１の部分に加えて第２の部分を取り外して比較的大きな取出口を形成することにより、手を包装箱内に入れやすくし、包装箱の内部から手袋を容易に取り出すことができる。
【００２０】
特に、本発明では、第１の部分を取出面における一方の長辺の端部側に配置する一方、第２の部分を取出面における他方の長辺の中央側に配置した。すなわち、取出面における上記一方の長辺が下側となるように包装箱を横向きに配置した場合において、手袋の数が減った状態では、複数の手袋が包装箱の下部に偏ることで包装箱の上部に空間が生じている。よって、手袋の数が減った状態で第２の部分を取り外すことにより、包装箱の上部の空間が一部開放されるので、その空間に手を差し入れて包装箱内の手袋を容易に摘まみ出すことができる。
【００２１】
第４の発明によれば、取出口を、取出面における一方の長辺の端部側から、他方の長辺の中央側へ向かって斜め方向に延びる長孔状に形成することにより、手袋が長孔状の取出口を通りやすくなるので、取出面に支持部を設けながらも手袋をスムーズに取り出すことができる。
【図面の簡単な説明】
【００２２】
【図１】図１は、本実施形態における手袋包装体の外観を示す斜視図である。
【図２】図２は、手袋包装体の取出面を示す正面図である。
【図３】図３は、包装箱の内部に収容された複数の手袋を示す断面図である。
【図４】図４は、第１の部分が取り外された取出面を示す正面図である。
【図５】図５は、第１の部分及び第２の部分が取り外された取出面を示す正面図である。
【図６】図６は、取出口形成部を拡大して示す正面図である。
【図７】図７は、その他の実施形態における手袋包装体の取出面を示す正面図である。
【発明を実施するための形態】
【００２３】
以下、本発明の実施形態を図面に基づいて詳細に説明する。尚、本発明は、以下の実施形態に限定されるものではない。
【００２４】
図１〜図６は、本実施形態における手袋包装体１を示している。図１は、手袋包装体１の斜視図であり、図２、図４及び図５は、手袋包装体１の取出面１０を示す正面図である。また、図３は、手袋包装体１の内部に収容された手袋５を示している。図６は、取出口形成部１６を拡大して示している。
【００２５】
手袋包装体１は、図１及び図３に示すように、直方体状に形成された包装箱１１と、包装箱１１に積層状態で収容された複数の手袋５とを備えている。包装箱１１は、紙製の箱であって、長方形の取出面１０と、取出面１０の周囲四辺に配置された４つの側面１３と、取出面１０の裏側に配置された背面１４とを有している。取出面１０は、手袋５の取出口１５が形成される取出口形成部１６を有している。
【００２６】
手袋包装体１は、図１に示すように、取出面１０が側方を向くように横向きに配置された状態で、壁に設置されたラック（図示省略）に装着される。このように壁に手袋包装体１を設置することにより、作業台等に手袋包装体１の設置スペースを不要にすることができる。尚、手袋包装体１は、取出面１０が上方を向くように平置きとして、手袋５を上側に引き出すような使用態様としてもよい。
【００２７】
図２に示すように、取出口形成部１６は、取出面１０における中心位置よりも一方の短辺３１側（図２で右側の短辺）に配置されている。取出口形成部１６は、図２に示すように、取り外し可能な部分として、互いに縁部１８を一部共通するように配置された第１の部分２１及び第２の部分２２を有している。
【００２８】
取出口形成部１６は、図６に拡大して示すように、略六角形状になっており、その六つの角部分はアール形状となっている。第１の部分２１は、図１において取出口形成部１６の右下部分に配置されており、略六角形状に形成されている。この第１の部分２１の六つの角部分もアール形状となっている。
【００２９】
第１の部分２１は、取出面１０における一方の長辺３３（図２で下側の長辺）の端部側（図２で右側）に配置される一方、第２の部分２２は、取出面１０における他方の長辺３４（図２で上側の長辺）の中央側に配置されている。つまり、第２の部分２２は、第１の部分２１に隣接しており、図１において取出口形成部１６の左上部分に配置されている。そして、第２の部分２２は、第１の部分２１における左上側の２つの辺を共通の縁部１８としている。
【００３０】
第１の部分２１及び第２の部分２２の縁部１８，１９は、ミシン目によって形成されている。上記共通の縁部１８以外の縁部１９は、その一部が二重のミシン目になっている。そのことにより、手袋５を取り出す際に、手袋５が取出口１５の縁で傷付きにくくなる。
【００３１】
また、第１の部分２１及び第２の部分２２の各左上部分には、これらを取り外す際に用いる摘まみ孔が形成される摘まみ部２４が設けられている。摘まみ部２４の縁もミシン目によって形成されている。
【００３２】
そして、図４に示すように、包装箱１１の取出面１０から第１の部分２１を取り外すことにより比較的小さい取出口１５が形成される。さらに、図５に示すように、第１の部分２１に加えて第２の部分２２を取り外すことにより比較的大きい取出口１５が形成される。すなわち、第２の部分２２を取り外すことによって、この第２の部分２２の面積だけ取出口１５が大きくなる。
【００３３】
ここで、複数の手袋５は、図２及び図３に示すように、手袋５の手首５ａが取出面１０における一方の短辺３１側に配置され、且つ手袋５の指先５ｂが取出面１０における他方の短辺３２（図２で左側の短辺）側に配置されるように、向きを揃えて包装箱１１に収容されている。そして、複数の手袋５は、取出口１５から取り出される方向である横方向に積層されている。また、手袋５は薄手のものであって、例えばポリエチレンシート等からなるプラスチック製のものやニトリルゴム等のゴム製のものである。
【００３４】
図４及び図５に示すように、取出口１５は、取出面１０における一方の長辺３３の端部側（図４及び図５で右側）から、他方の長辺３４の中央側へ向かって斜め方向に延びる長孔状に形成されている。
【００３５】
また、取出口１５は、取出面１０における一方の長辺３３の端部側（図４及び図５で右側）から他方の長辺３４の中央側へ向かって斜め方向（図４及び図５で斜め左方向）に延びる開口縁１５ａを有している。ここでいう開口縁１５ａは、取出口１５における図４及び図５で左側（つまり、取出面１０の中央側）の開口縁である。
【００３６】
そして、図１に示すように側方から手袋５を取り出すように包装箱１１を横向きに配置した状態で、図４及び図５に示すように取出面１０の開口縁１５ａよりも中央側部分が包装箱１１内の手袋５を支持可能な支持部４０となっている。つまり、支持部４０は、取出口１５よりも取出面１０の中央側に配置されている。
【００３７】
したがって、本実施形態によると、包装箱１１の取出面１０における一方の長辺３３が下側となるように包装箱１１を横向きに配置し、取出口形成部１６に形成した取出口１５から側方へ手袋５を取り出して使用する場合、包装箱１１内の手袋５が少なくなると、その複数の手袋５は、図５に示すように自重によって包装箱１１内の下部にずれて偏ることとなる。包装箱１１の下部に偏った複数の手袋５の重心位置Ｇは、側方から見て取出面１０における下部中央位置となる。
【００３８】
これに対し、本実施形態では、取出口１５が、取出面１０における中心位置よりも一方の短辺３１側に配置され、且つ、取出面１０における一方の長辺３３の端部側（図２で右側）から他方の長辺３４の中央側へ向かって斜め方向に延びる開口縁１５ａを有しており、その取出面１０の開口縁１５ａよりも中央側部分が包装箱１１内の手袋５を支持可能な支持部４０となっている。
【００３９】
したがって、支持部４０は、手袋５の重心位置Ｇと同じ取出面１０の下部中央位置を含む領域に設けられることとなるので、複数の手袋５をその重心位置Ｇで好適に支持することができる。その結果、包装箱１１内で複数の手袋５が下部に偏っていても、手袋５を１枚ずつ適切に取り出すことができる。
【００４０】
ここで、包装箱１１内の複数の手袋５は、その数が少なくなるにつれて、包装箱１１の下方へ徐々に偏っていくと共に包装箱１１内で移動しやすく不安定になる。これに対し、本実施形態では、取出口１５の開口縁１５ａが、取出面１０における一方の長辺３３の端部側（図２で右側）から他方の長辺３４の中央側へ向かって斜め方向に延びているので、その開口縁１５ａの側方の支持部４０は、その幅（取出面１０の長辺３３，３４方向の幅）が、下方へ向かって徐々に広くなる。すなわち、複数の手袋５が包装箱１１の下方へ偏っていくにつれて支持部４０の幅も広くなるので、包装箱１１の下方へ偏っていく複数の手袋５を適切に支持することができる。そのため、複数枚の手袋５がまとまって取出口１５から出てしまわないようにして、より適切に手袋５を１枚ずつ取り出すことができる。
【００４１】
さらに、手袋５の手首５ａが取出面１０における一方の短辺３１側に配置され、且つ手袋５の指先５ｂが取出面１０における他方の短辺３２側に配置されるように、複数の手袋５が向きを揃えて包装箱１１に収容されているので、手袋５の手首５ａ側が取出口１５に臨む配置となる。したがって、使用者が手袋５を取り出す際に、常に手袋５の手首５ａ側を摘まんで引き出すことになるので、手袋５の指先５ｂを衛生的に保つことができる。
【００４２】
さらにまた、取出口形成部１６が取り外し可能な第１の部分２１及び第２の部分２２を有する構成としたので、複数の手袋５が包装箱１１内で詰まって移動しにくい使用当初には、第１の部分２１のみを取り外して比較的小さい取出口１５を形成することにより、適切に手袋５を１枚ずつ取り出すことができる。一方、手袋５の数が減って包装箱１１内で移動し易くなったときは、第１の部分２１に加えて第２の部分２２を取り外して比較的大きな取出口１５を形成することにより、手を包装箱１１内に入れやすくし、包装箱１１の内部から手袋５を容易に取り出すことができる。
【００４３】
特に、本実施形態では、第１の部分２１を取出面１０における一方の長辺３３の端部側（図２で右側）に配置する一方、第２の部分２２を取出面１０における他方の長辺３４の中央側に配置した。すなわち、取出面１０における上記一方の長辺３３が下側となるように包装箱１１を横向きに配置した場合において、手袋５の数が減った状態では、複数の手袋５が包装箱１１の下部に偏ることで包装箱１１の上部に空間４２が生じている（図５を参照）。よって、手袋５の数が減った状態で第２の部分２２を取り外すことにより、包装箱１１の上部の空間４２が一部開放されるので、その空間４２に手を差し入れて包装箱１１内の手袋５を容易に摘まみ出すことができる。
【００４４】
さらに、取出口１５を、取出面１０における一方の長辺３３の端部側（図２で右側）から、他方の長辺３４の中央側へ向かって斜め方向に延びる長孔状に形成することにより、手袋５が長孔状の取出口１５を通りやすくなるので、取出面１０に支持部４０を設けながらも手袋５をスムーズに取り出すことができる。
《その他の実施形態》
【００４５】
図７は、その他の実施形態における手袋包装体１の取出面１０を示す正面図である。上述の実施形態では、図２に示すように右側である一方の短辺３１側に、取出口形成部１６を配置形成した例について説明したが、本発明はこれに限らず、図６に示すように左側である一方の短辺３１側に、取出口形成部１６を配置形成してもよい。
【００４６】
すなわち、図６の手袋包装体１は、図２の手袋包装体１を左右反転した構成を有しており、図６の取出面１０では、左側の短辺３１が一方の短辺３１となり、右側の短辺３２が他方の短辺３２となっている。このような構成としても、図２の手袋包装体１と同じ効果を得ることができる。
【産業上の利用可能性】
【００４７】
以上説明したように、本発明は、複数の手袋が積層状態で収容された手袋包装体について有用である。
【符号の説明】
【００４８】
１    手袋包装体
５    手袋
５ａ    手首
５ｂ    指先
１０    取出面
１１    包装箱
１３    側面
１５    取出口
１５ａ    開口縁
１６    取出口形成部
１８    縁部
２１    第１の部分
２２    第２の部分
３１    一方の短辺
３２    他方の短辺
３３    一方の長辺
３４    他方の長辺
４０    支持部